(57)【要約】      （修正有）【課題】位置決めアセンブリにより装置がガラスを迅速に位置決めすることができ、ひいては作業者の作業効率が向上するガラストリミング装置を提供する。【解決手段】ベース１と、ベースの底部の両側に設けられる支持脚とを含むガラストリミング装置であって、前記ベースの頂部の両側には、いずれも支持ロッド２が設けられ、前記支持ロッドの頂部には、リミットフレームが設けられ、前記リミットフレームの中間位置には、スライドロッドが設けられ、前記スライドロッドは、両側の外壁にいずれもスライダが設けられ、一方側の外壁にリミット溝が設けられ、前記スライダの一方側の外壁には、一端がスライダの内壁を貫通して前記リミット溝に当接する固定ボルトが設けられ、前記スライダの底部には、シリンダ７が設けられ、前記シリンダの底部には、カッタ８が設けられ、前記ベースの頂部の中間位置には、載置台９が設けられるガラストリミング装置が開示される。【選択図】図１
0003233632.tif 000002
【実用新案登録請求の範囲】
【請求項１】
ベース（１）と、ベース（１）の底部の両側に設けられる支持脚とを含むガラストリミング装置であって、
前記ベース（１）の頂部の両側には、いずれも支持ロッド（２）が設けられ、前記支持ロッド（２）の頂部には、リミットフレームが設けられ、前記リミットフレームの中間位置には、スライドロッド（３）が設けられ、前記スライドロッド（３）は、両側の外壁にいずれもスライダ（４）が設けられ、一方側の外壁にリミット溝（５）が設けられ、前記スライダ（４）の一方側の外壁には、一端がスライダ（４）の内壁を貫通して前記リミット溝（５）に当接する固定ボルト（６）が設けられ、前記スライダ（４）の底部には、シリンダ（７）が設けられ、前記シリンダ（７）の底部には、カッタ（８）が設けられ、前記ベース（１）の頂部の中間位置には、載置台（９）が設けられ、前記載置台（９）は、頂部の中間位置に吸盤（１０）が設けられ、一方側の底部の外壁に固定溝（１１）が設けられ、両側にいずれも固定プレート（１２）が設けられ、前記固定プレート（１２）の底部には、位置決めアセンブリが設けられる、
ことを特徴とするガラストリミング装置。
【請求項２】
前記リミットフレームは、内部に駆動アセンブリが設けられる第１リミットプレート（１３）と、内部にリミットアセンブリが設けられる第２リミットプレート（１４）とで構成される、
ことを特徴とする請求項１に記載のガラストリミング装置。
【請求項３】
前記駆動アセンブリは、第１リミットプレート（１３）の内壁の一方側に設けられるモータ（１５）と、第１リミットプレート（１３）の内部に設けられ、一端が前記モータ（１５）の出力軸に接続され、他端が軸受を介して前記第１リミットプレート（１３）の一方側の内壁に接続されるスクリュロッド（１６）と、前記スクリュロッド（１６）の外壁に伝動接続されるスクリュロッドナット（１７）とで構成される、
ことを特徴とする請求項２に記載のガラストリミング装置。
【請求項４】
前記スクリュロッドナット（１７）の一方側の外壁には、一端が前記スライドロッド（３）の一端に接続される第１接続部材が設けられる、
ことを特徴とする請求項３に記載のガラストリミング装置。
【請求項５】
前記リミットアセンブリは、第２リミットプレート（１４）の内部に設けられ、一方側に開口が設けられる第１スライド溝（１８）と、第１スライド溝（１８）の内部に設けられるスライドブロック（１９）であって、一方側の外側に一端が前記スライドロッド（３）の他端の外壁に固定して接続される第２接続部材が設けられるスライドブロック（１９）とで構成される、
ことを特徴とする請求項２に記載のガラストリミング装置。
【請求項６】
前記位置決めアセンブリは、載置台（９）の頂部の内側に設けられ、底部に接続口が設けられる第２スライド溝（２０）と、いずれも第２スライド溝（２０）の内部に設けられる移動ブロック（２１）及び圧縮ばね（２２）とで構成される、
ことを特徴とする請求項１に記載のガラストリミング装置。
【請求項７】
前記圧縮ばね（２２）は、移動ブロック（２１）の一方側と前記第２スライド溝（２０）の一方側の内壁との間に設けられる、
ことを特徴とする請求項６に記載のガラストリミング装置。
【請求項８】
前記移動ブロック（２１）の頂部には、頂部が接続口を貫通して前記固定プレート（１２）の底部に固定して接続される第３接続部材が設けられる、
ことを特徴とする請求項６に記載のガラストリミング装置。
【請求項９】
前記移動ブロック（２１）の一方側の外壁には、接続ロッド（２３）が設けられ、前記接続ロッド（２３）は、一端が第２スライド溝（２０）を貫通して載置台（９）の外壁に設けられ、底部にリミット垂直プレートが固定して接続され、前記リミット垂直プレートの一方側には、一端がリミット垂直プレートを貫通して固定溝（１１）に当接するリミットボルト（２４）が設けられる、
ことを特徴とする請求項６に記載のガラストリミング装置。
【請求項１０】
前記固定プレート（１２）の一方側の外壁には、いずれも保護パッドが設けられる、
ことを特徴とする請求項１に記載のガラストリミング装置。
【考案の詳細な説明】
【技術分野】
【０００１】
本考案は、ガラストリミング設備の関連技術分野に関し、特にガラストリミング装置に関するものである。
【背景技術】
【０００２】
ガラスは、非晶無機非金属材料であり、一般に石英砂、ホウ砂、ホウ酸、バライト、炭酸バリウム、石灰岩、長石、ソーダ灰などのさまざまな無機鉱物を主原料として、さらに少量の補助原料を加えて作られるものであり、主成分は二酸化ケイ素及びその他の酸化物である。通常のガラスの化学組成はＮａ２ＳｉＯ３、ＣａＳｉＯ３、ＳｉＯ２又はＮａ２Ｏ・ＣａＯ・６ＳｉＯ２などであり、主成分はケイ酸塩複塩であり、不規則な構造の非晶質固体であり、風を遮断して光を透過させるために建築物に広く適用され、混合物に属する。また、ある金属の酸化物や塩を混ぜて色が現れる色ガラスや、物理的又は化学的方法で作られる強化ガラスなどがある。ガラスの生産又は使用過程において、使用の需要に応じてガラスをトリミング処理する必要があり、現段階ではほとんどガラストリミング装置を採用して完了させている。
【０００３】
しかしながら、従来のガラストリミング装置は、それら自体の構造上の欠陥により、いずれもトリミングを必要とするガラスを迅速に位置決めすることができず、ひいては作業者の作業効率に影響を与えてしまう。
【考案の概要】
【０００４】
本考案の目的は、従来のガラストリミング装置は、それら自体の構造上の欠陥により、いずれもトリミングを必要とするガラスを迅速に位置決めすることができず、ひいては作業者の作業効率に影響を与えてしまうという問題を解決するガラストリミング装置を提供することにある。
【０００５】
上記目的を実現するために、本考案によれば、ベースと、ベースの底部の両側に設けられる支持脚とを含むガラストリミング装置であって、前記ベースの頂部の両側には、いずれも支持ロッドが設けられ、前記支持ロッドの頂部には、リミットフレームが設けられ、前記リミットフレームの中間位置には、スライドロッドが設けられ、前記スライドロッドは、両側の外壁にいずれもスライダが設けられ、一方側の外壁にリミット溝が設けられ、前記スライダの一方側の外壁には、一端がスライダの内壁を貫通して前記リミット溝に当接する固定ボルトが設けられ、前記スライダの底部には、シリンダが設けられ、前記シリンダの底部には、カッタが設けられ、前記ベースの頂部の中間位置には、載置台が設けられ、前記載置台は、頂部の中間位置に吸盤が設けられ、一方側の底部の外壁に固定溝が設けられ、両側にいずれも固定プレートが設けられ、前記固定プレートの底部には、位置決めアセンブリが設けられるガラストリミング装置という技術的手段が提供される。
【０００６】
前記リミットフレームは、内部に駆動アセンブリが設けられる第１リミットプレートと、内部にリミットアセンブリが設けられる第２リミットプレートとで構成されることが好ましい。駆動アセンブリ及びリミットアセンブリを設けることにより、カッタの前後移動が便利になり、ひいては装置によるガラスのカット操作が便利になり、それにより装置の利便性が向上する。
【０００７】
前記駆動アセンブリは、第１リミットプレートの内壁の一方側に設けられるモータと、第１リミットプレートの内部に設けられ、一端が前記モータの出力軸に接続され、他端が軸受を介して前記第１リミットプレートの一方側の内壁に接続されるスクリュロッドと、前記スクリュロッドの外壁に伝動接続されるスクリュロッドナットとで構成されることが好ましい。使用時において、使用者は、モータをオンにすることによりモータが出力軸を介してスクリュロッドの外壁におけるスクリュロッドナットを移動させるように動かすことができ、それによりスクリュロッドナットによりスライドロッドを移動させるように同期して動かすことができ、ひいては使用者によるカッタの位置移動が便利になる。
【０００８】
前記スクリュロッドナットの一方側の外壁には、一端が前記スライドロッドの一端に接続される第１接続部材が設けられることが好ましい。第１接続部材を設けることにより、ひいてはスクリュロッドナットによるスライドロッドの移動が便利になり、ひいては装置の使用が便利になる。
【０００９】
前記リミットアセンブリは、第２リミットプレートの内部に設けられ、一方側に開口が設けられる第１スライド溝と、第１スライド溝の内部に設けられるスライドブロックであって、一方側の外側に一端が前記スライドロッドの他端の外壁に固定して接続される第２接続部材が設けられるスライドブロックとで構成されることが好ましい。使用時において、スライドロッドによる移動とともに第１スライド溝の内部を移動させるようにスライドブロックを動かすことができ、ひいては第１スライド溝及びスライドブロックにより移動過程におけるカッタの安定性を保証することができる。
【００１０】
前記位置決めアセンブリは、載置台の頂部の内側に設けられ、底部に接続口が設けられる第２スライド溝と、いずれも第２スライド溝の内部に設けられる移動ブロック及び圧縮ばねとで構成されることが好ましい。使用時において、使用者は、移動ブロックを移動させることにより固定プレートを同期して移動させるように動かすことができるとともに、移動ブロックにより圧縮ばねが圧縮されるようにすることができる。使用者は、カットを必要とするガラスを載置台の頂部における固定プレートの間に載置することができる。使用者は、移動ブロックを緩めるだけで移動ブロックが圧縮ばねによりガラスを迅速に位置決めすることができ、それにより作業者の作業効率が向上する。
【００１１】
前記圧縮ばねは、移動ブロックの一方側と前記第２スライド溝の一方側の内壁との間に設けられることが好ましい。圧縮ばねを設けることにより、移動ブロックのリセットが便利になる。
【００１２】
前記移動ブロックの頂部には、頂部が接続口を貫通して前記固定プレートの底部に固定して接続される第３接続部材が設けられることが好ましい。第３接続部材を設けることにより、ひいては固定プレートへの移動ブロックの接続が便利になり、ひいては装置の使用が便利になる。
【００１３】
前記移動ブロックの一方側の外壁には、接続ロッドが設けられ、前記接続ロッドは、一端が第２スライド溝を貫通して載置台の外壁に設けられ、底部にリミット垂直プレートが固定して接続され、前記リミット垂直プレートの一方側には、一端がリミット垂直プレートを貫通して固定溝に当接するリミットボルトが設けられることが好ましい。使用時において、使用者は、リミットボルトを回すことにより、移動ブロックのリミット及び移動を実現することができ、ひいては使用者による装置の使用が便利になる。
【００１４】
前記固定プレートの一方側の外壁には、いずれも保護パッドが設けられることが好ましい。保護パッドを設けることにより、使用時におけるワークの保護が向上する。
【考案の効果】
【００１５】
本考案に係るガラストリミング装置は、以下の有益な効果を具備する。
（１）本考案によれば、固定プレート及び位置決めアセンブリを設けることにより、使用時において、使用者は、リミットボルトを回すことによりリミットボルトの一端が固定溝から離間することができる。それから、リミットボルトを移動させることによりリミットボルトが接続ロッドにより移動ブロックを移動させるように動かすことができ、移動ブロックにより固定プレートを同期して移動させるように動かすことができるとともに、移動ブロックにより圧縮ばねが圧縮されるようにすることができる。それから、使用者は、カットを必要とするガラスを載置台の頂部における固定プレートの間に載置することができる。使用者は、移動ブロックを緩めるだけで移動ブロックが圧縮ばねによりガラスを迅速に位置決めすることができ、ひいては作業者によるガラスの位置決め作業が便利になり、それにより作業者の作業効率が向上する。
（２）本考案によれば、スライドロッド、スライダ、リミット溝及び固定ボルトを設けることにより、使用時において、使用者は、固定ボルトを回すことにより固定ボルトがリミット溝と分離することができる。それから、スライダを移動させることでカッタの位置調整を完了させることができ、ひいては使用者による装置の使用が便利になり、それにより装置の利便性が向上する。
【図面の簡単な説明】
【００１６】
【図１】本考案の全体構造を示す概略図である。
【図２】本考案に係るリミットフレームの上面図である。
【図３】本考案に係る載置台の内部構造を示す概略図である。
【図４】本考案の図３におけるＡ部の構造拡大図である。
【考案を実施するための形態】
【００１７】
以下では、本考案の実施例における図面を参照しながら本考案の実施例における技術的手段について明確かつ完全に説明する。
【００１８】
図１〜図４に示すように、本考案によれば、ベース１と、ベース１の底部の両側に設けられる支持脚とを含むガラストリミング装置であって、前記ベース１の頂部の両側には、いずれも支持ロッド２が設けられ、前記支持ロッド２の頂部には、リミットフレームが設けられ、前記リミットフレームの中間位置には、スライドロッド３が設けられ、前記スライドロッド３は、両側の外壁にいずれもスライダ４が設けられ、一方側の外壁にリミット溝５が設けられ、前記スライダ４の一方側の外壁には、一端がスライダ４の内壁を貫通して前記リミット溝５に当接する固定ボルト６が設けられ、前記スライダ４の底部には、シリンダ７が設けられ、前記シリンダ７の底部には、カッタ８が設けられ、前記ベース１の頂部の中間位置には、載置台９が設けられ、前記載置台９は、頂部の中間位置に吸盤１０が設けられ、一方側の底部の外壁に固定溝１１が設けられ、両側にいずれも固定プレート１２が設けられ、前記固定プレート１２の底部には、位置決めアセンブリが設けられるガラストリミング装置という技術的手段が提供される。
【００１９】
さらに、前記リミットフレームは、内部に駆動アセンブリが設けられる第１リミットプレート１３と、内部にリミットアセンブリが設けられる第２リミットプレート１４とで構成される。駆動アセンブリ及びリミットアセンブリを設けることにより、カッタ８の前後移動が便利になり、ひいては装置によるガラスのカット操作が便利になり、それにより装置の利便性が向上する。
【００２０】
さらに、前記駆動アセンブリは、第１リミットプレート１３の内壁の一方側に設けられるモータ１５と、第１リミットプレート１３の内部に設けられ、一端が前記モータ１５の出力軸に接続され、他端が軸受を介して前記第１リミットプレート１３の一方側の内壁に接続されるスクリュロッド１６と、前記スクリュロッド１６の外壁に伝動接続されるスクリュロッドナット１７とで構成される。使用時において、使用者は、モータ１５をオンにすることによりモータ１５が出力軸を介してスクリュロッド１６の外壁におけるスクリュロッドナット１７を移動させるように動かすことができ、それによりスクリュロッドナット１７によりスライドロッド３を移動させるように同期して動かすことができ、ひいては使用者によるカッタ８の位置移動が便利になる。
【００２１】
さらに、前記スクリュロッドナット１７の一方側の外壁には、一端が前記スライドロッド３の一端に接続される第１接続部材が設けられる。第１接続部材を設けることにより、ひいてはスクリュロッドナット１７によるスライドロッド３の移動が便利になり、ひいては装置の使用が便利になる。
【００２２】
さらに、前記リミットアセンブリは、第２リミットプレート１４の内部に設けられ、一方側に開口が設けられる第１スライド溝１８と、第１スライド溝１８の内部に設けられるスライドブロック１９であって、一方側の外側に一端が前記スライドロッド３の他端の外壁に固定して接続される第２接続部材が設けられるスライドブロック１９とで構成される。使用時において、スライドロッド３による移動とともに第１スライド溝１８の内部を移動させるようにスライドブロック１９を動かすことができ、ひいては第１スライド溝１８及びスライドブロック１９により移動過程におけるカッタ８の安定性を保証することができる。
【００２３】
さらに、前記位置決めアセンブリは、載置台９の頂部の内側に設けられ、底部に接続口が設けられる第２スライド溝２０と、いずれも第２スライド溝２０の内部に設けられる移動ブロック２１及び圧縮ばね２２とで構成される。使用時において、使用者は、移動ブロック２１を移動させることにより固定プレート１２を同期して移動させるように動かすことができるとともに、移動ブロック２１により圧縮ばね２２が圧縮されるようにすることができる。使用者は、カットを必要とするガラスを載置台９の頂部における固定プレート１２の間に載置することができる。使用者は、移動ブロック２１を緩めるだけで移動ブロック２１が圧縮ばね２２によりガラスを迅速に位置決めすることができ、それにより作業者の作業効率が向上する。
【００２４】
さらに、前記圧縮ばね２２は、移動ブロック２１の一方側と前記第２スライド溝２０の一方側の内壁との間に設けられる。圧縮ばね２２を設けることにより、移動ブロック２１のリセットが便利になる。
【００２５】
さらに、前記移動ブロック２１の頂部には、頂部が接続口を貫通して前記固定プレート１２の底部に固定して接続される第３接続部材が設けられる。第３接続部材を設けることにより、ひいては固定プレート１２への移動ブロック２１の接続が便利になり、ひいては装置の使用が便利になる。
【００２６】
さらに、前記移動ブロック２１の一方側の外壁には、接続ロッド２３が設けられ、前記接続ロッド２３は、一端が第２スライド溝２０を貫通して載置台９の外壁に設けられ、底部にリミット垂直プレートが固定して接続され、前記リミット垂直プレートの一方側には、一端がリミット垂直プレートを貫通して固定溝１１に当接するリミットボルト２４が設けられる。使用時において、使用者は、リミットボルト２４を回すことにより、移動ブロック２１のリミット及び移動を実現することができ、ひいては使用者による装置の使用が便利になる。
【００２７】
さらに、前記固定プレート１２の一方側の外壁には、いずれも保護パッドが設けられる。保護パッドを設けることにより、使用時におけるワークの保護が向上する。
【００２８】
作業原理：使用時において、使用者は、リミットボルト２４を回すことによりリミットボルト２４の一端が固定溝１１から離間することができる。それから、リミットボルト２４を移動させることによりリミットボルト２４が接続ロッド２３により移動ブロック２１を移動させるように動かすことができ、移動ブロック２１により固定プレート１２を同期して移動させるように動かすことができるとともに、移動ブロック２１により圧縮ばね２２が圧縮されるようにすることができる。それから、使用者は、カットを必要とするガラスを載置台９の頂部における固定プレート１２の間に載置することができる。使用者は、移動ブロック２１を緩めるだけで移動ブロック２１が圧縮ばね２２によりガラスを迅速に位置決めすることができる。位置決めが完了した後、使用者は、固定溝１１に当接するようにリミットボルト２４を回すことによりガラスの固定を完了させることができる。それから、固定ボルト６を回すことによりスライダ４がスライドロッド３の外壁をスライドすることができる。調整が完了した後、固定ボルト６を回すことにより固定ボルト６がリミット溝５に当接することができるようにすればよい。それから、シリンダ７をオンにすることによりシリンダ７がカッタ８をガラスの表面に接触させるように動かすことができる。さらに、モータ１５をオンにすることによりモータ１５がカッタ８を移動させるように動かすことができ、ひいてはガラスのトリミング処理を完了させることができる。
【００２９】
本考案の実施例を示して説明したが、当業者には、本考案の原理及び精神から逸脱することなく、これらの実施例にさまざまな変更、修正、置換及び変形を加えることができることが理解される。本考案の範囲は、添付の実用新案登録請求の範囲及びその均等物によって限定される。
【符号の説明】
【００３０】
１、ベース
２、支持ロッド
３、スライドロッド
４、スライダ
５、リミット溝
６、固定ボルト
７、シリンダ
８、カッタ
９、載置台
１０、吸盤
１１、固定溝
１２、固定プレート
１３、第１リミットプレート
１４、第２リミットプレート
１５、モータ
１６、スクリュロッド
１７、スクリュロッドナット
１８、第１スライド溝
１９、スライドブロック
２０、第２スライド溝
２１、移動ブロック
２２、圧縮ばね
２３、接続ロッド
２４、リミットボルト
【図１】
0003233632.tif 000003
【図２】
0003233632.tif 000004
【図３】
0003233632.tif 000005
【図４】
0003233632.tif 000006